(57)【要約】【課題】複数の太陽光発電装置による電力系統への売電量の変動を低減させる。【解決手段】同一の受電端６５を介して電力系統に接続される複数の太陽光発電装置４０Ａ，４０Ｂ，４０Ｃを備える電力運用システム１００が提供される。複数の太陽光発電装置の各々は、太陽光を受けて電力を出力するための太陽電池１Ａと、電力を蓄積するための蓄電池３Ａとを含む。電力運用システムは、第１の期間における複数の太陽光発電装置のうちの第１の太陽光発電装置による電力の蓄積を制限し、第１の期間とは異なる第２の期間における複数の太陽光発電装置のうちの第２の太陽光発電装置による電力の蓄積を制限するための制限手段２０Ａを備える。【選択図】図５
2010288393.tif 000002
【特許請求の範囲】
【請求項１】
同一の受電端を介して電力系統に接続される複数の太陽光発電装置を備える電力運用システムであって、
前記複数の太陽光発電装置の各々は、
太陽光を受けて電力を出力するための太陽電池と、
前記電力を蓄積するための蓄電池とを含み、
第１の期間における前記複数の太陽光発電装置のうちの第１の太陽光発電装置による電力の蓄積を制限し、前記第１の期間とは異なる第２の期間における前記複数の太陽光発電装置のうちの第２の太陽光発電装置による電力の蓄積を制限するための制限手段を備える、電力運用システム。
【請求項２】
前記複数の太陽光発電装置の各々は、
他の太陽光発電装置と通信するための通信インターフェイスと、
前記電力の蓄積と前記電力の前記電力系統への出力とを制御するための電池制御部とをさらに含み、
前記第１の太陽光発電装置の電池制御部は、前記制限手段を含む、請求項１に記載の電力運用システム。
【請求項３】
前記電力運用システムは、
前記電池制御部と通信するための第１の通信インターフェイスと、
前記第１の通信インターフェイスを介して前記電池制御部を制御するための中央制御部とをさらに備え、
前記複数の太陽光発電装置の各々は、
前記中央制御部と通信するための第２の通信インターフェイスと、
前記電力の蓄積と前記電力の前記電力系統への出力とを制御するための電池制御部とをさらに含み、
前記中央制御部は、前記制限手段を含む、請求項１に記載の電力運用システム。
【請求項４】
前記複数の太陽光発電装置の各々は、
前記太陽電池からの電力の出力値を検出する検出部をさらに含み、
前記制限手段は、
前記検出部からの前記出力値に基づいて前記太陽電池が電力を出力したか否かを判断し、
前記太陽電池が電力を出力し始めた時刻に基づいて、前記第１および第２の期間を計算する、請求項２または３に記載の電力運用システム。
【請求項５】
前記複数の太陽光発電装置の各々は、
前記太陽電池からの電力の出力値を検出する検出部をさらに含み、
前記制限手段は、
前記検出部からの前記出力値に基づいて前記出力値が所定値に達したか否かを判断し、
前記出力値が前記所定値に達した時刻に基づいて、前記第１および第２の期間を計算する、請求項２または３に記載の電力運用システム。
【請求項６】
前記制御部は、
前記時刻から所定の時刻までの第３の期間を計算し、
前記第３の期間と前記複数の太陽光発電装置の個数とに基づいて、各太陽光発電装置による電力の蓄積を制限すべき期間を計算する、請求項４または５に記載の電力運用システム。
【請求項７】
前記複数の太陽光発電装置の各々は、
前記制限手段の一部として、前記電力の蓄積と前記電力の前記電力系統への出力とを制御するための電池制御部をさらに含み、
前記複数の太陽光発電装置のうちの第１の太陽光発電装置の電池制御部は、第１の期間に前記第１の太陽光発電装置による電力の蓄積を制限し、
前記複数の太陽光発電装置のうちの第２の太陽光発電装置の電池制御部は、第２の期間に前記第２の太陽光発電装置による電力の蓄積を制限する、請求項１に記載の電力運用システム。
【請求項８】
前記第１の期間は、日出から所定の時刻までであって、
前記第２の期間は、前記所定の時刻から日没までである、請求項７に記載の電力運用システム。
【請求項９】
同一の受電端を介して電力系統に接続される複数の太陽光発電装置と、制御部とを用いた電力運用方法であって、
前記複数の太陽光発電装置の各々は、
太陽光を受けて電力を出力するための太陽電池と、
前記電力を蓄積するための蓄電池とを含み、
前記電力運用方法は、
前記制御部が、第１の期間における前記複数の太陽光発電装置のうちの第１の太陽光発電装置による電力の蓄積を制限するステップと、
前記制御部が、前記第１の期間と異なる第２の期間における前記複数の太陽光発電装置のうちの第２の太陽光発電装置による電力の蓄積を制限するステップとを備える、電力運用方法。
【請求項１０】
前記複数の太陽光発電装置の各々は、
他の太陽光発電装置と通信するための通信インターフェイスと、
前記電力の蓄積と前記電力の前記電力系統への出力とを制御するための電池制御部とをさらに含み、
前記第１の太陽光発電装置による電力の蓄積を制限するステップは、前記第１の太陽光発電装置の電池制御部が、前記制御部として、前記第１の期間に前記第１の太陽光発電装置による電力の蓄積を制限するステップを含み、
前記第２の太陽光発電装置による電力の蓄積を制限するステップは、前記第１の太陽光発電装置の電池制御部が、前記制御部として、前記通信インターフェイスを介して前記第２の期間における前記第２の太陽光発電装置による電力の蓄積を制限するステップを含む、請求項９に記載の電力運用方法。
【請求項１１】
前記複数の太陽光発電装置の各々は、
前記制御部と通信するための通信インターフェイスと、
前記電力の蓄積と前記電力の前記電力系統への出力とを制御するための電池制御部とをさらに含み、
前記第１の太陽光発電装置による電力の蓄積を制限するステップは、前記制御部が、前記第１の太陽光発電装置の電池制御部に第１の期間における前記第１の太陽光発電装置による電力の蓄積を制限させるステップを含み、
前記第２の太陽光発電装置による電力の蓄積を制限するステップは、前記制御部が、前記第２の太陽光発電装置の電池制御部に第２の期間における前記第２の太陽光発電装置による電力の蓄積を制限させるステップを含む、請求項９に記載の電力運用方法。
【請求項１２】
前記複数の太陽光発電装置の各々は、
前記太陽電池からの電力の出力値を検出する検出部をさらに含み、
前記電力運用方法は、
前記制御部が、前記検出部からの前記出力値に基づいて前記太陽電池が電力を出力したか否かを判断するステップと、
前記制御部が、前記太陽電池が電力を出力し始めた時刻に基づいて、前記第１および第２の期間を計算するステップとをさらに備える、請求項１０または１１に記載の電力運用方法。
【請求項１３】
前記複数の太陽光発電装置の各々は、
前記太陽電池からの電力の出力値を検出する検出部をさらに含み、
前記電力運用方法は、
前記制御部が、前記検出部からの前記出力値に基づいて前記出力値が所定値に達したか否かを判断するステップと、
前記制御部が、前記出力値が前記所定値に達した時刻に基づいて、前記第１および第２の期間を計算するステップとをさらに備える、請求項１０または１１に記載の電力運用方法。
【請求項１４】
前記第１および第２の期間を計算するステップは、
前記制御部が、前記時刻から所定の時刻までの第３の期間を計算するステップと、
前記制御部が、前記第３の期間と前記複数の太陽光発電装置の個数とに基づいて、各太陽光発電装置による電力の蓄積を制限すべき期間を計算するステップとを含む、請求項１２または１３に記載の電力運用方法。
【請求項１５】
前記複数の太陽光発電装置の各々は、
前記電力の蓄積と前記電力の前記電力系統への出力とを制御するための電池制御部をさらに含み、
前記第１の太陽光発電装置による電力の蓄積を制限するステップは、前記第１の太陽光発電装置の電池制御部が、前記制御部の一部として、前記第１の期間に前記第１の太陽光発電装置による電力の蓄積を制限するステップを含み、
前記第２の太陽光発電装置による電力の蓄積を制限するステップは、前記第２の太陽光発電装置の電池制御部が、前記制御部の一部として、前記第２の期間に前記第２の太陽光発電装置による電力の蓄積を制限するステップを含む、電力運用方法。
【請求項１６】
前記第１の期間は、日出から所定の時刻までであって、
前記第２の期間は、前記所定の時刻から日没までである、請求項１５に記載の電力運用方法。
【請求項１７】
受電端を介して電力系統に接続される太陽光発電装置であって、
太陽光を受けて電力を出力する太陽電池と、
前記電力を蓄積する蓄電池と、
前記受電端を介して前記電力系統に接続される他の太陽光発電装置と通信するための通信インターフェイスと、
前記電力の蓄積と前記電力の前記電力系統への出力とを制御する制御部とを含み、
前記制御部は、第１の期間に前記太陽光発電装置による電力の蓄積を制限し、前記通信インターフェイスを介して第２の期間における前記他の太陽光発電装置による電力の蓄積を制限する、太陽光発電装置。
【請求項１８】
前記太陽電池からの電力の出力値を検出する検出部をさらに備え、
前記制御部は、
前記検出部からの前記出力値に基づいて前記太陽電池が電力を出力したか否かを判断し、
前記太陽電池が電力を出力し始めた時刻に基づいて、前記第１および第２の期間を計算する、請求項１７に記載の太陽光発電装置。
【請求項１９】
前記太陽電池からの電力の出力値を検出する検出部をさらに備え、
前記制御部は、
前記検出部からの前記出力値に基づいて前記出力値が所定値に達したか否かを判断し、
前記出力値が前記所定値に達した時刻に基づいて、前記第１および第２の期間を計算する、請求項１７に記載の太陽光発電装置。
【請求項２０】
前記制御部は、
前記時刻から所定の時刻までの第３の期間を計算し、
前記第３の期間と前記受電端を介して前記電力系統に接続される太陽光発電装置の個数とに基づいて、各太陽光発電装置による電力の蓄積を制限すべき期間を計算する、請求項１８または１９に記載の太陽光発電装置。
【請求項２１】
太陽光を受けて電力を出力する太陽電池と前記電力を蓄積する蓄電池とを含むとともに受電端を介して電力系統に接続される太陽光発電装置を制御するためのコントローラであって、
前記受電端を介して前記電力系統に接続される他の太陽光発電装置と通信するための通信インターフェイスと、
前記電力の蓄積と前記電力の前記電力系統への出力とを制御する制御部とを備え、
前記制御部は、第１の期間に前記太陽光発電装置による電力の蓄積を制限し、前記通信インターフェイスを介して第２の期間における前記他の太陽光発電装置による電力の蓄積を制限する、コントローラ。
【請求項２２】
太陽光を受けて電力を出力する太陽電池と前記電力を蓄積する蓄電池とを含むとともに同一の受電端を介して電力系統に接続される第１および第２の太陽光発電装置と通信可能なコントローラであって、
前記第１および第２の太陽光発電装置と通信するための通信インターフェイスと、
制御部とを備え、
前記制御部は、前記通信インターフェイスを介して第１の期間に前記第１の太陽光発電装置による電力の蓄積を制限し、前記通信インターフェイスを介して第２の期間における前記第２の太陽光発電装置による電力の蓄積を制限する、コントローラ。
【請求項２３】
前記太陽光発電装置の各々は、前記太陽電池からの電力の出力値を検出する検出部をさらに含み、
前記制御部は、
前記検出部からの前記出力値に基づいて前記太陽電池が電力を出力したか否かを判断し、
前記太陽電池が電力を出力し始めた時刻に基づいて、前記第１および第２の期間を計算する、請求項２１または２２に記載のコントローラ。
【請求項２４】
前記太陽光発電装置の各々は、前記太陽電池からの電力の出力値を検出する検出部をさらに含み、
前記制御部は、
前記検出部からの前記出力値に基づいて前記出力値が所定値に達したか否かを判断し、
前記出力値が前記所定値に達した時刻に基づいて、前記第１および第２の期間を計算する、請求項２１または２２に記載のコントローラ。
【請求項２５】
前記制御部は、
前記時刻から所定の時刻までの第３の期間を計算し、
前記第３の期間と前記受電端を介して前記電力系統に接続される太陽光発電装置の個数とに基づいて、各太陽光発電装置による電力の蓄積を制限すべき期間を計算する、請求項２３または２４に記載のコントローラ。
【発明の詳細な説明】
【技術分野】
【０００１】
本発明は、住宅等に設置される太陽電池と蓄電池とを含む太陽光発電装置を運用するための技術に関し、特に太陽電池が生成した電力を電力系統側に逆潮流することができる太陽光発電装置を運用するための技術に関する。
【背景技術】
【０００２】
地球環境対策の観点から、各種エネルギー利用の見直しが図られている。特に、太陽エネルギーを利用する太陽電池は、クリーンなエネルギーの供給源の代表として期待されている。近年、太陽電池側の分散電源と系統側の商用電源とを連系させることによって、太陽電池だけでは住宅に必要な消費電力が賄えない場合に、不足する電力を系統側の商用電源から供給するシステムが開発されている。このようなシステムの中には、太陽電池が出力する電力の余剰分を系統側に逆潮流させるものがある。
【０００３】
さらに、太陽電池が出力する電力の余剰分を蓄電池に蓄えておき、太陽電池からの電力だけでは住宅に必要な消費電力が賄えない場合に、蓄電池の電力を使用する技術も知られている。たとえば、特開２００３−７９０５４号公報（特許文献１）には、蓄電池を備えた太陽光発電システムが開示されている。特開２００３−７９０５４号公報（特許文献１）によると、電力系統に連系し、太陽電池装置にて発生される電力をインバータ装置に与えて、交流に変換し、電力消費部に供給する太陽光発電システムが、太陽電池装置からの電力を充電する蓄電池と、太陽電池装置からの電力を蓄電池またはインバータ装置に切り替えて出力させる切り替え制御手段とを備える。太陽光発電システムは、日の出後の電力需要のオフピーク時内での太陽電池装置での発電電力または夜間の電力系統からの電力から選ばれる１つ以上の電力にて蓄電池を充電するように制御し、電力需要の高い特定の時間帯の電力需要の変動曲線に応じて蓄電池に蓄電された電力の放電を制御し、太陽電池装置からの発電量に加えてインバータ装置に電力を与える。
【先行技術文献】
【特許文献】
【０００４】
【特許文献１】特開２００３−７９０５４号公報
【発明の概要】
【発明が解決しようとする課題】
【０００５】
しかしながら、たとえば、蓄電池を有する複数の太陽光発電装置が１つの系統受電端に接続される場合、以下のような問題が生じる。すなわち、それぞれの太陽光発電装置は日の出直後に充電を開始するため、午前中は当該系統受電端を介して電力がほとんど売られない。そして、午後になって蓄電池がいっぱい（ＦＵＬＬ）になると、それぞれの太陽光発電装置が、当該系統受電端を介して電力を売り始める。そのため、午前中の系統受電端を介した売電量は非常に少なく、午後中の系統受電端を介した売電量は非常に多くなる。すなわち、系統受電端における売電量の変動が大きくなり、系統受電端に接続される複数の太陽光発電装置からなる電力運用システムの運転状態が不安定になる。
【０００６】
本発明は、このような問題を解決するためになされたものであり、その目的は、複数の太陽光発電装置による電力系統への売電量の変動を低減させることである。
【課題を解決するための手段】
【０００７】
この発明のある局面に従うと、同一の受電端を介して電力系統に接続される複数の太陽光発電装置を備える電力運用システムが提供される。複数の太陽光発電装置の各々は、太陽光を受けて電力を出力するための太陽電池と、電力を蓄積するための蓄電池とを含む。電力運用システムは、第１の期間における複数の太陽光発電装置のうちの第１の太陽光発電装置による電力の蓄積を制限し、第１の期間とは異なる第２の期間における複数の太陽光発電装置のうちの第２の太陽光発電装置による電力の蓄積を制限するための制限手段を備える。
【０００８】
好ましくは、複数の太陽光発電装置の各々は、他の太陽光発電装置と通信するための通信インターフェイスと、電力の蓄積と電力の電力系統への出力とを制御するための電池制御部とをさらに含む。第１の太陽光発電装置の電池制御部は、制限手段を含む。
【０００９】
好ましくは、電力運用システムは、電池制御部と通信するための第１の通信インターフェイスと、第１の通信インターフェイスを介して電池制御部を制御するための中央制御部とをさらに備える。複数の太陽光発電装置の各々は、中央制御部と通信するための第２の通信インターフェイスと、電力の蓄積と電力の電力系統への出力とを制御するための電池制御部とをさらに含む。中央制御部は、制限手段を含む。
【００１０】
好ましくは、複数の太陽光発電装置の各々は、太陽電池からの電力の出力値を検出する検出部をさらに含む。制限手段は、検出部からの出力値に基づいて太陽電池が電力を出力したか否かを判断し、太陽電池が電力を出力し始めた時刻に基づいて、第１および第２の期間を計算する。
【００１１】
好ましくは、複数の太陽光発電装置の各々は、太陽電池からの電力の出力値を検出する検出部をさらに含む。制限手段は、検出部からの出力値に基づいて出力値が所定値に達したか否かを判断し、出力値が所定値に達した時刻に基づいて、第１および第２の期間を計算する。
【００１２】
好ましくは、制御部は、時刻から所定の時刻までの第３の期間を計算し、第３の期間と複数の太陽光発電装置の個数とに基づいて、各太陽光発電装置による電力の蓄積を制限すべき期間を計算する。
【００１３】
好ましくは、複数の太陽光発電装置の各々は、制限手段の一部として、電力の蓄積と電力の電力系統への出力とを制御するための電池制御部をさらに含む。複数の太陽光発電装置のうちの第１の太陽光発電装置の電池制御部は、第１の期間に第１の太陽光発電装置による電力の蓄積を制限し、複数の太陽光発電装置のうちの第２の太陽光発電装置の電池制御部は、第２の期間に第２の太陽光発電装置による電力の蓄積を制限する。
【００１４】
好ましくは、第１の期間は、日出から所定の時刻までである。第２の期間は、所定の時刻から日没までである。
【００１５】
この発明の別の局面に従うと、同一の受電端を介して電力系統に接続される複数の太陽光発電装置と、制御部とを用いた電力運用方法が提供される。複数の太陽光発電装置の各々は、太陽光を受けて電力を出力するための太陽電池と、電力を蓄積するための蓄電池とを含む。電力運用方法は、制御部が、第１の期間における複数の太陽光発電装置のうちの第１の太陽光発電装置による電力の蓄積を制限するステップと、制御部が、第１の期間と異なる第２の期間における複数の太陽光発電装置のうちの第２の太陽光発電装置による電力の蓄積を制限するステップとを備える。
【００１６】
好ましくは、複数の太陽光発電装置の各々は、他の太陽光発電装置と通信するための通信インターフェイスと、電力の蓄積と電力の電力系統への出力とを制御するための電池制御部とをさらに含む。第１の太陽光発電装置による電力の蓄積を制限するステップは、第１の太陽光発電装置の電池制御部が、制御部として、第１の期間に第１の太陽光発電装置による電力の蓄積を制限するステップを含む。第２の太陽光発電装置による電力の蓄積を制限するステップは、第１の太陽光発電装置の電池制御部が、制御部として、通信インターフェイスを介して第２の期間における第２の太陽光発電装置による電力の蓄積を制限するステップを含む。
【００１７】
好ましくは、複数の太陽光発電装置の各々は、制御部と通信するための通信インターフェイスと、電力の蓄積と電力の電力系統への出力とを制御するための電池制御部とをさらに含む。第１の太陽光発電装置による電力の蓄積を制限するステップは、制御部が、第１の太陽光発電装置の電池制御部に第１の期間における第１の太陽光発電装置による電力の蓄積を制限させるステップを含む。第２の太陽光発電装置による電力の蓄積を制限するステップは、制御部が、第２の太陽光発電装置の電池制御部に第２の期間における第２の太陽光発電装置による電力の蓄積を制限させるステップを含む。
【００１８】
好ましくは、複数の太陽光発電装置の各々は、太陽電池からの電力の出力値を検出する検出部をさらに含む。電力運用方法は、制御部が、検出部からの出力値に基づいて太陽電池が電力を出力したか否かを判断するステップと、制御部が、太陽電池が電力を出力し始めた時刻に基づいて、第１および第２の期間を計算するステップとをさらに備える。
【００１９】
好ましくは、複数の太陽光発電装置の各々は、太陽電池からの電力の出力値を検出する検出部をさらに含む。電力運用方法は、制御部が、検出部からの出力値に基づいて出力値が所定値に達したか否かを判断するステップと、制御部が、出力値が所定値に達した時刻に基づいて、第１および第２の期間を計算するステップとをさらに備える。
【００２０】
好ましくは、第１および第２の期間を計算するステップは、制御部が、時刻から所定の時刻までの第３の期間を計算するステップと、制御部が、第３の期間と複数の太陽光発電装置の個数とに基づいて、各太陽光発電装置による電力の蓄積を制限すべき期間を計算するステップとを含む。
【００２１】
好ましくは、複数の太陽光発電装置の各々は、電力の蓄積と電力の電力系統への出力とを制御するための電池制御部をさらに含む。第１の太陽光発電装置による電力の蓄積を制限するステップは、第１の太陽光発電装置の電池制御部が、制御部の一部として、第１の期間に第１の太陽光発電装置による電力の蓄積を制限するステップを含む。第２の太陽光発電装置による電力の蓄積を制限するステップは、第２の太陽光発電装置の電池制御部が、制御部の一部として、第２の期間に第２の太陽光発電装置による電力の蓄積を制限するステップを含む。
【００２２】
好ましくは、第１の期間は、日出から所定の時刻までである。第２の期間は、所定の時刻から日没までである。
【００２３】
この発明の別の局面に従うと、受電端を介して電力系統に接続される太陽光発電装置が提供される。太陽光を受けて電力を出力する太陽電池と、電力を蓄積する蓄電池と、受電端を介して電力系統に接続される他の太陽光発電装置と通信するための通信インターフェイスと、電力の蓄積と電力の電力系統への出力とを制御する制御部とを含む。制御部は、第１の期間に太陽光発電装置による電力の蓄積を制限し、通信インターフェイスを介して第２の期間における他の太陽光発電装置による電力の蓄積を制限する。
【００２４】
好ましくは、太陽光発電装置は、太陽電池からの電力の出力値を検出する検出部をさらに備える。制御部は、検出部からの出力値に基づいて太陽電池が電力を出力したか否かを判断し、太陽電池が電力を出力し始めた時刻に基づいて、第１および第２の期間を計算する。
【００２５】
好ましくは、太陽光発電装置は、太陽電池からの電力の出力値を検出する検出部をさらに備える。制御部は、検出部からの出力値に基づいて出力値が所定値に達したか否かを判断し、出力値が所定値に達した時刻に基づいて、第１および第２の期間を計算する。
【００２６】
好ましくは、制御部は、時刻から所定の時刻までの第３の期間を計算し、第３の期間と受電端を介して電力系統に接続される太陽光発電装置の個数とに基づいて、各太陽光発電装置による電力の蓄積を制限すべき期間を計算する。
【００２７】
この発明の別の局面に従うと、太陽光を受けて電力を出力する太陽電池と電力を蓄積する蓄電池とを含むとともに受電端を介して電力系統に接続される太陽光発電装置を制御するためのコントローラが提供される。コントローラは、受電端を介して電力系統に接続される他の太陽光発電装置と通信するための通信インターフェイスと、電力の蓄積と電力の電力系統への出力とを制御する制御部とを含む。制御部は、第１の期間に太陽光発電装置による電力の蓄積を制限し、通信インターフェイスを介して第２の期間における他の太陽光発電装置による電力の蓄積を制限する。
【００２８】
この発明の別の局面に従うと、太陽光を受けて電力を出力する太陽電池と電力を蓄積する蓄電池とを含むとともに同一の受電端を介して電力系統に接続される第１および第２の太陽光発電装置と通信可能なコントローラが提供される。コントローラは、第１および第２の太陽光発電装置と通信するための通信インターフェイスと、制御部とを含む。制御部は、通信インターフェイスを介して、第１の期間に第１の太陽光発電装置による電力の蓄積を制限し、通信インターフェイスを介して第２の期間における第２の太陽光発電装置による電力の蓄積を制限する。
【００２９】
好ましくは、太陽光発電装置の各々は、太陽電池からの電力の出力値を検出する検出部をさらに含む。制御部は、検出部からの出力値に基づいて太陽電池が電力を出力したか否かを判断し、太陽電池が電力を出力し始めた時刻に基づいて、第１および第２の期間を計算する。
【００３０】
好ましくは、太陽光発電装置の各々は、太陽電池からの電力の出力値を検出する検出部をさらに含む。制御部は、検出部からの出力値に基づいて出力値が所定値に達したか否かを判断し、出力値が所定値に達した時刻に基づいて、第１および第２の期間を計算する。
【００３１】
好ましくは、制御部は、時刻から所定の時刻までの第３の期間を計算し、第３の期間と受電端を介して電力系統に接続される太陽光発電装置の個数とに基づいて、各太陽光発電装置による電力の蓄積を制限すべき期間を計算する。
【発明の効果】
【００３２】
以上のように、本発明によって、複数の太陽光発電装置による電力系統への売電量の変動を低減させた電力運用システム、電力運用方法、太陽光発電装置、およびコントローラが提供される。
【図面の簡単な説明】
【００３３】
【図１】実施の形態１に係る電力運用システムの概略構成を示すイメージ図である。
【図２】各住宅が蓄電装置を有さない場合における柱上トランスを介する売電量の変化を示すグラフである。
【図３】各住宅が蓄電装置を有する場合における柱上トランスを介する売電量の変化を示すグラフである。
【図４】実施の形態１に係る電力運用システムにおける柱上トランスを介する売電量の変化を示すグラフである。
【図５】実施の形態１に係る電力運用システムのハードウェア構成を表わすブロック図である。
【図６】実施の形態１に係る電力運用システムにおける各電池制御部による制御を示すシーケンス図である。
【図７】実施の形態１に係る電力運用システムの第１の変形例における各電池制御部による制御を示すシーケンス図である。
【図８】第１の変形例に係る電池制御部における蓄電制限処理の処理手順を示すフローチャートである。
【図９】第１の変形例に係る電力運用システムにおける柱上トランスを介する売電量の変化を示すグラフである。
【図１０】実施の形態１に係る電力運用システムの第２の変形例における各電池制御部による制御を示すシーケンス図である。
【図１１】第２の変形例に係る電力運用システムにおける柱上トランスを介する売電量の変化を示すグラフである。
【図１２】実施の形態１に係る電力運用システムの第３の変形例における各電池制御部による制御を示すシーケンス図である。
【図１３】実施の形態２に係る電力運用システムのハードウェア構成を表すブロック図である。
【図１４】実施の形態２に係る電力運用システムにおける各電池制御部による制御を示すシーケンス図である。
【図１５】実施の形態２に係る中央制御部における蓄電制限処理の処理手順を示すフローチャートである。
【発明を実施するための形態】
【００３４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３５】
［実施の形態１］
＜電力運用システム１００の概略構成＞
まず、図１を参照して、本実施の形態に係る電力運用システム１００の概略構成について説明する。図１は、本実施の形態に係る電力運用システム１００の概略構成を示すイメージ図である。なお、以下では、全ての時間を、２４時間表示で記す。
【００３６】
図１に示すように、電力運用システム１００は、住宅５０Ａ，５０Ｂ，５０Ｃ毎に、太陽電池１Ａ，１Ｂ，１Ｃ、太陽電池用パワーコンディショナ２Ａ，２Ｂ，２Ｃ、分電盤７Ａ，７Ｂ，７Ｃ、電力量計８Ａ，８Ｂ，８Ｃ、電力負荷１０Ａ，１０Ｂ，１０Ｃを含む。さらに、電力運用システム１００は、発電所７０からの電力を住宅５０Ａ，５０Ｂ，５０Ｃに供給するための柱上トランス６５（系統受電端）を含む。柱上トランス６５は、分電盤７Ａ，７Ｂ，７Ｃに電気的に接続されて、電力系統からの電力を住宅５０Ａ，５０Ｂ，５０Ｃの分電盤７Ａ，７Ｂ，７Ｃへ供給し、太陽電池１Ａ，１Ｂ，１Ｃからの電力を系統へ供給する。
【００３７】
本実施の形態に係る電力運用システム１００においては、各住宅５０Ａ，５０Ｂ，５０Ｃにおいて、太陽電池１Ａ，１Ｂ，１Ｃが生成した電力が負荷１０Ａ，１０Ｂ，１０Ｃで使用される。太陽電池１Ａ，１Ｂ，１Ｃが負荷１０Ａ，１０Ｂ，１０Ｃで必要な電力を賄えない場合、各住宅５０Ａ，５０Ｂ，５０Ｃは柱上トランス６５から電力を取得する（買電する）。太陽電池１Ａ，１Ｂ，１Ｃが負荷１０Ａ，１０Ｂ，１０Ｃが必要な電力よりも多くの電力を生成した場合、各住宅５０Ａ，５０Ｂ，５０Ｃは、柱上トランス６５へと電力を供給する（売電する）。以下買電とは、電力系統から柱状トランスを介した各住宅へ電力を取得することをさし、売電とは各住宅から柱状トランスを介して電力系統へ電力を供給することをさす。
【００３８】
さらに、本実施の形態に係る電力運用システム１００は、各住宅５０Ａ，５０Ｂ，５０Ｃが蓄電装置（図３参照。）を有する。太陽電池１Ａ，１Ｂ，１Ｃが負荷１０Ａ，１０Ｂ，１０Ｃが必要な電力よりも多くの電力を生成した場合、余剰電力が蓄電装置に蓄えられる。太陽電池１Ａ，１Ｂ，１Ｃが負荷１０Ａ，１０Ｂ，１０Ｃで必要な電力を賄えない場合、負荷１０Ａ，１０Ｂ，１０Ｃが蓄電装置の電力をも使用する。蓄電装置がいっぱいの状態で、太陽電池１Ａ，１Ｂ，１Ｃが負荷１０Ａ，１０Ｂ，１０Ｃが必要な電力よりも多くの電力を生成した場合、各住宅５０Ａ，５０Ｂ，５０Ｃは、柱上トランス６５へと電力を供給する（売電する）。
【００３９】
＜蓄電装置を有さない電力運用システムの特性＞
ここで、参考として、各住宅５０Ａ，５０Ｂ，５０Ｃが蓄電装置を有さない場合について説明する。図２は、各住宅５０Ａ，５０Ｂ，５０Ｃが蓄電装置を有さない場合における柱上トランス６５を介する売電量の変化を示すグラフである。
【００４０】
図２を参照して、柱上トランス６５における売電量は、日の出とともに上昇し始めて、１１時頃から１３時頃にかけてピークに達する。すなわち、夜間の柱上トランス６５における売電量と１１時頃から１３時頃にかけての柱上トランス６５における売電量との差が非常に大きい。換言すれば、複数の太陽光発電装置による売電量の変化が非常に大きい。
【００４１】
＜蓄電装置を有する電力運用システムの特性＞
次に、参考として、各住宅５０Ａ，５０Ｂ，５０Ｃが蓄電装置を有する場合について説明する。図３は、各住宅５０Ａ，５０Ｂ，５０Ｃが蓄電装置を有する場合における柱上トランス６５を介する売電量の変化を示すグラフである。なお、図３においては、各住宅５０Ａ，５０Ｂ，５０Ｃが蓄電装置を有さない場合における柱上トランス６５を介する売電量の変化を点線で示す。
【００４２】
図３を参照して、柱上トランス６５における売電量は、正午頃に上昇し始めて、１３時頃にピークに達する。これは、日の出とともに太陽電池で発生した電力を蓄電装置が充電し始め、午前中は、電力が蓄電装置に蓄えられるため売電量が上昇しないからである。しかしながら、正午頃に蓄電装置がいっぱいになると、その後は図２と同様に売電量が上昇する。すなわち、夜間の柱上トランス６５における売電量と１３時頃の柱上トランス６５における売電量との差が非常に大きい。換言すれば、複数の太陽光発電装置による売電量の変化が非常に大きい。
【００４３】
＜本実施の形態に係る電力運用システムの特性＞
本実施の形態に係る電力運用システム１００は、上記の問題点を解決するために、蓄電装置がいっぱいになる時間を住宅５０Ａ，５０Ｂ，５０Ｃ毎にずらす。換言すれば、本実施の形態に係る電力運用システム１００は、売電する時間を住宅５０Ａ，５０Ｂ，５０Ｃ毎にずらす。
【００４４】
より詳細には、本実施の形態に係る電力運用システム１００は、住宅５０Ａ，５０Ｂ，５０Ｃ毎に異なる期間における蓄電を制限する。換言すれば、本実施の形態に係る電力運用システム１００は、住宅５０Ａ，５０Ｂ，５０Ｃ毎に異なる期間において売電を優先させる。
【００４５】
図４は、本実施の形態に係る電力運用システム１００における柱上トランス６５を介する売電量の変化を示すグラフである。なお、図４においては、各住宅５０Ａ，５０Ｂ，５０Ｃが蓄電装置を有し、かつ、蓄電が制限されない場合（図３を参照。）における柱上トランス６５を介する売電量の変化を点線で示す。
【００４６】
図４を参照して、本実施の形態においては、各住宅毎に蓄電が制限される期間（売電する期間）が異なるため、図２および図３よりも売電量のピークが低くなる。すなわち、本実施の形態に係る電力運用システム１００は、夜間の柱上トランス６５における売電量と１３時頃の柱上トランス６５における売電量との差を低減させることができる。換言すれば、本実施の形態に係る電力運用システム１００は、複数の太陽光発電装置による売電量の変化を低減することができる。
【００４７】
以下、このような機能を実現するための構成について詳述する。
＜電力運用システム１００のハードウェア構成＞
次に、本実施の形態に係る電力運用システム１００の具体的構成について説明する。図５は、本実施の形態に係る電力運用システム１００のハードウェア構成を表わすブロック図である。なお、図５は、電気エネルギー（電力）の流れを実線の矢印で示し、数値や命令などの情報（信号）の流れを点線の矢印で示す。
【００４８】
図５を参照して、電力運用システム１００は、住宅５０Ａ，５０Ｂ，５０Ｃ毎に、太陽光発電装置４０Ａ，４０Ｂ，４０Ｃとして、太陽電池１Ａ，１Ｂ，１Ｃと、パワーコンディショナ２Ａ，２Ｂ，２Ｃと、蓄電装置３Ａ，３Ｂ，３Ｃと、インバータ回路４Ａ，４Ｂ，４Ｃとを含む。さらに、電力運用システム１００は、住宅５０Ａ，５０Ｂ，５０Ｃ毎に、分電盤７Ａ，７Ｂ，７Ｃと、電力量計８Ａ，８Ｂ，８Ｃと、負荷１０Ａ，１０Ｂ，１０Ｃと、電池制御部２０Ａ，２０Ｂ，２０Ｃと、タイマ２１Ａ，２１Ｂ，２１Ｃと、通信インターフェイス３０Ａ，３０Ｂ，３０Ｃとを含む。
【００４９】
なお、本実施の形態においては、太陽光発電装置４０Ａ，４０Ｂ，４０Ｃのそれぞれが、電池コントローラ２５Ａ，２５Ｂ，２５Ｃを含む。電池コントローラ２５Ａ，２５Ｂ，２５Ｃのそれぞれが、電池制御部２０Ａ，２０Ｂ，２０Ｃと、タイマ２１Ａ，２１Ｂ，２１Ｃと、通信インターフェイス３０Ａ，３０Ｂ，３０Ｃとを含む。
【００５０】
太陽電池１Ａ，１Ｂ，１Ｃは、太陽エネルギーを利用して、その太陽エネルギーを電気エネルギーに変換する。太陽電池１Ａ，１Ｂ，１Ｃは、系統連系型のパワーコンディショナ２Ａ，２Ｂ，２Ｃに接続されている。
【００５１】
パワーコンディショナ２Ａ，２Ｂ，２Ｃは、太陽電池１Ａ，１Ｂ、１Ｃから入力された直流電力を交流に変換して出力する。本実施の形態に係るパワーコンディショナ２Ａ，２Ｂ，２Ｃは、分電盤７Ａ，７Ｂ，７Ｃに接続されている。
【００５２】
本実施の形態においては、パワーコンディショナ２Ａ，２Ｂ，２Ｃが、検出部として太陽電池１Ａ，１Ｂ，１Ｃによって生成される電力の出力値（発電量）を検出し、当該出力値を電池制御部２０Ａ，２０Ｂ，２０Ｃに送信している。ただし、太陽電池１Ａ，１Ｂ，１Ｃや電池制御部２０Ａ，２０Ｂ，２０Ｃ（検出部をその機能の１つとして含む場合）やその他の装置が、検出部として太陽電池１Ａ，１Ｂ，１Ｃによって生成される電力の出力値を検出し、電池制御部２０Ａ，２０Ｂ，２０Ｃが当該出力値を利用してもよい。後述するように、電池制御部２０Ａ，２０Ｂ，２０Ｃは、太陽電池１Ａ，１Ｂ，１Ｃの出力値に基づいて、太陽電池１Ａ，１Ｂ，１Ｃが発電しているか否かを判断する。
【００５３】
あるいは、検出部として機能するパワーコンディショナ２Ａ，２Ｂ，２Ｃや太陽電池１Ａ，１Ｂ，１Ｃやその他の装置が、電力の出力値に基づいて、太陽電池１Ａ，１Ｂ，１Ｃが発電しているか否かを判断してもよい。この場合には、太陽電池１Ａ，１Ｂ，１Ｃが発電しているか否か示す情報（あるいは太陽電池１Ａ，１Ｂ，１Ｃが発電していることを示す情報）を定期的に電池制御部２０Ａ，２０Ｂ、２０Ｃに送信する。
【００５４】
なお、パワーコンディショナ２Ａ，２Ｂ，２Ｃや太陽電池１Ａ，１Ｂ，１Ｃや電池制御部２０Ａ，２０Ｂ，２０Ｃやその他の装置は、太陽電池１Ａ，１Ｂ，１Ｃの両端における、出力電圧（Ｖ）、出力電流（Ａ）、出力電力（Ｗ）の少なくともいずれかを太陽電池１Ａ，１Ｂ，１Ｃの出力値として取得することができる。たとえば、パワーコンディショナ２Ａ，２Ｂ，２Ｃや電池制御部２０Ａ，２０Ｂ，２０Ｃやその他の装置は、太陽電池１Ａ，１Ｂ，１Ｃの両端における出力電力（Ｗ）から、太陽光発電装置４０Ａ，４０Ｂ，４０Ｃの自己消費電力（Ｗ）を減じた値を、太陽電池１Ａ，１Ｂ，１Ｃの出力値として取得してもよい。
【００５５】
蓄電装置３Ａ，３Ｂ，３Ｃは、太陽電池１Ａ，１Ｂ，１Ｃから入力される電力を充電する。蓄電装置３Ａ，３Ｂ，３Ｃは、開閉器６Ａ，６Ｂ，６Ｃおよびインバータ回路４Ａ，４Ｂ，４Ｃの入力端子に接続されている。蓄電装置３Ａ，３Ｂ，３Ｃとしては、たとえば通常の鉛蓄電池や、フライホイールなどを利用してエネルギーを蓄える装置などが挙げられる。また、蓄電装置３Ａ，３Ｂ，３Ｃは、ひとつの蓄電池を用いるものに限らず、複数の蓄電池を接続したものであってもよい。
【００５６】
インバータ回路４Ａ，４Ｂ，４Ｃの出力端子は、分電盤７Ａ，７Ｂ，７Ｃに接続されている。インバータ回路４Ａ，４Ｂ，４Ｃは、系統連系のための機能を有する。インバータ回路４Ａ，４Ｂ，４Ｃは、蓄電装置３Ａ，３Ｂ，３Ｃから入力された直流電力を交流電力に変換し、負荷１０Ａ，１０Ｂ，１０Ｃに供給する。
【００５７】
分電盤７Ａ，７Ｂ，７Ｃは、パワーコンディショナ２Ａ，２Ｂ，２Ｃとインバータ回路４Ａ，４Ｂ，４Ｃとに接続されている。分電盤７Ａ，７Ｂ，７Ｃは、電力量計８Ａ，８Ｂ，８Ｃを介して電力系統側の柱上トランス６５に接続されている。分電盤７Ａ，７Ｂ，７Ｃは、パワーコンディショナ２Ａ，２Ｂ，２Ｃやインバータ回路４Ａ，４Ｂ，４Ｃからの電力を負荷１０Ａ，１０Ｂ，１０Ｃや柱上トランス６５を介して電力系統へと供給する。分電盤７Ａ，７Ｂ，７Ｃは、柱上トランス６５を介して電力系統からの電力を負荷１０Ａ，１０Ｂ，１０Ｃに供給する。
【００５８】
開閉器６Ａ，６Ｂ，６Ｃは、太陽電池１Ａ，１Ｂ，１Ｃと蓄電装置３Ａ，３Ｂ，３Ｃとに接続される。開閉器６Ａ，６Ｂ，６Ｃは、電池制御部２０Ａ，２０Ｂ，２０Ｃからの制御信号に基づいて、太陽電池１Ａ，１Ｂ，１Ｃと蓄電装置３Ａ，３Ｂ，３Ｃとの接続をＯＮ／ＯＦＦする。
【００５９】
電池制御部２０Ａ，２０Ｂ，２０Ｃは、たとえばＣＰＵ（Central  Processing  Unit）と、当該ＣＰＵが実行する制御プログラムなどによって実現される。より詳細には、ＣＰＵが、図示しないメモリに記憶されている制御プログラムを読み出して、当該制御プログラムを実行することによって、電池制御部２０Ａ，２０Ｂ，２０Ｃを実現する。
【００６０】
電池制御部２０Ａ，２０Ｂ，２０Ｃは、後述する制限信号や、蓄電装置３Ａ，３Ｂ，３Ｃの蓄電量や、分電盤７Ａ，７Ｂ，７Ｃや電力量計８Ａ，８Ｂ，８Ｃにおける電力量に基づいて、開閉器６Ａ，６Ｂ，６Ｃの開閉を制御する。電池制御部２０Ａ，２０Ｂ，２０Ｃは、通信インターフェイス３０Ａ，３０Ｂ，３０Ｃを介して他の電池制御部２０Ａ，２０Ｂ，２０Ｃとデータを送受信する。たとえば、後述するように、電池制御部２０Ａは、通信インターフェイス３０Ａを介して、他の電池制御部２０Ｂ，２０Ｃに制限信号を送信する。
【００６１】
本実施の形態に係る電池制御部２０Ａ，２０Ｂ，２０Ｃは、タイマ２１Ａ，２１Ｂ，２１Ｃを参照して、所定の期間における蓄電を制限する。たとえば、本実施の形態に係る電池制御部２０Ｂ，２０Ｃは、電池制御部２０Ａからの制御信号に基づいて、所定の期間中、開閉器６Ｂ，６ＣをＯＦＦする。
【００６２】
＜電力運用システム１００の動作概要＞
次に、本実施の形態に係る電力運用システム１００の動作概要について説明する。図６は、本実施の形態に係る電力運用システム１００における各電池制御部２０Ａ，２０Ｂ，２０Ｃ，２０Ｄによる制御を示すシーケンス図である。
【００６３】
図６を参照して、住宅５０Ａ（第１の住宅）の太陽光発電装置４０Ａ（第１の太陽光発電装置）の電池制御部２０Ａ（第１の電池制御部）が、太陽電池１Ａが発電を開始したことを検知する（ステップＳ００２）。本実施の形態においては、電池制御部２０Ａは、パワーコンディショナ２Ａからの発電信号に基づいて、太陽電池１Ａが発電を開始したことを検知する。すなわち、太陽電池１Ａの発電量が、パワーコンディショナ２Ａなど太陽光発電装置の自己消費電力を上回ったときに、太陽電池１Ａが発電を開始したと判断する。
【００６４】
電池制御部２０Ａは、開閉器６ＡをＯＮすることによって余剰電力を蓄電装置３Ａに蓄え始める（ステップＳ００４）。より詳細には、電池制御部２０Ａは、分電盤７Ａからの信号に基づいて、あるいは電力量計８Ａからの信号に基づいて、負荷１０Ａで使用されない余剰電力を蓄電装置３Ａに蓄え始める。電池制御部２０Ａは、通信インターフェイス３０Ａを介して、他の住宅（第２〜第４の住宅）の太陽光発電装置（第２〜第４の太陽光発電装置）の電池制御部２０Ｂ，２０Ｃ，２０Ｄ（第２〜４の電池制御部）に蓄電を制限するための信号（制限信号）を送信する（ステップＳ００６）。
【００６５】
このとき、電池制御部２０Ａは、現在時刻に基づいて各電池制御部２０Ｂ，２０Ｃ，２０Ｄに、各電池制御部２０Ｂ，２０Ｃ，２０Ｄが蓄電を制限すべき期間（７時から９時、９時から１１時、１１時から１３時など）を送信する。あるいは、電池制御部２０Ａは、各電池制御部２０Ｂ，２０Ｃ，２０Ｄが蓄電の制限を開始すべき時刻になると、当該電池制御部２０Ｂ，２０Ｃ，２０Ｄに蓄電を制限すべき期間（たとえば、１時間、２時間など）を送信してもよい。
【００６６】
電池制御部２０Ｂは、通信インターフェイス３０Ｂを介して、電池制御部２０Ａから制限信号を受信する（ステップＳ００８）。電池制御部２０Ｂは、制限信号に基づき、開閉器６ＢをＯＦＦすることによって、所定期間（所定時刻から所定時間の間）、蓄電を停止するとともに、売電を優先する（ステップＳ０１０）。
【００６７】
電池制御部２０Ｃは、通信インターフェイス３０Ｃを介して、電池制御部２０Ａから制限信号を受信する（ステップＳ０１２）。電池制御部２０Ｃは、制限信号に基づき、開閉器６ＣをＯＮすることによって、所定期間、蓄電を優先する（ステップＳ０１４）。
【００６８】
電池制御部２０Ｄは、通信インターフェイスを介して、電池制御部２０Ａから制限信号を受信する（ステップＳ０１６）。電池制御部２０Ｄは、制御信号に基づき、所定時間の２倍、開閉器をＯＮすることによって、蓄電を優先する（ステップＳ０１８）。
【００６９】
電池制御部２０Ｂは、所定時間が経過すると、あるいは所定期間が終了すると、開閉器６ＢをＯＮすることによって、蓄電を開始する（ステップＳ０２０）。
【００７０】
電池制御部２０Ｃは、所定時間が経過すると、あるいは所定期間が終了すると、開閉器６ＣをＯＦＦすることによって、所定期間、蓄電を停止するとともに、売電を優先する（ステップＳ０２２）。
【００７１】
電池制御部２０Ｃは、さらに所定時間が経過すると、開閉器６ＣをＯＮすることによって、蓄電を開始する（ステップＳ０２４）。
【００７２】
電池制御部２０Ｄは、ステップＳ０１８から所定時間の２倍が経過すると、開閉器をＯＦＦすることによって、所定期間、蓄電を停止するとともに、売電を優先する（ステップＳ０２６）。
【００７３】
電池制御部２０Ａは、ステップＳ００６から所定時間の３倍が経過すると、開閉器６ＡをＯＦＦすることによって、所定期間、蓄電を停止するとともに、売電を優先する（ステップＳ０２８）。電池制御部２０Ｄは、ステップＳ０２６から所定時間が経過すると、開閉器をＯＮすることによって、蓄電を開始する（ステップＳ０３０）。
【００７４】
電池制御部２０Ａは、ステップＳ０２８から所定時間が経過すると、開閉器６ＡをＯＮすることによって、蓄電を開始する（ステップＳ０３２）。
【００７５】
このように、本実施の形態に係る電力運用システム１００においては、電池制御部２０Ａが各太陽光発電装置４０Ａ，４０Ｂ，４０Ｃにおける蓄電を所定期間制限するため、各太陽光発電装置４０Ａ，４０Ｂ，４０Ｃの蓄電装置３Ａ，３Ｂ，３Ｃがいっぱいになるタイミングが互いに異なるようになる。そのため、本実施の形態に係る電力運用システム１００は、各太陽光発電装置４０Ａ，４０Ｂ，４０Ｃがいっせいに売電を開始することを防止でき、柱上トランス６５における売電量の変動を低減することができる。
【００７６】
＜電力運用システム１００の第１の変形例における動作概要＞
次に、本実施の形態に係る電力運用システム１００の第１の変形例について説明する。図７は、本実施の形態に係る電力運用システム１００の第１の変形例における各電池制御部２０Ａ，２０Ｂ，２０Ｃ，２０Ｄによる制御を示すシーケンス図である。本変形例においては、電池制御部２０Ａが、発電が開始された時刻に基づいて、各太陽光発電装置における蓄電が制限される期間を計算する。
【００７７】
図７を参照して、住宅５０Ａ（第１の住宅）の太陽光発電装置４０Ａ（第１の太陽光発電装置）の電池制御部２０Ａ（第１の電池制御部）が、太陽電池１Ａが、発電を開始したことを検知する（ステップＳ１０２）。住宅５０Ｂ（第２の住宅）の太陽光発電装置４０Ｂ（第２の太陽光発電装置）の電池制御部２０Ｂ（第２の電池制御部）が、太陽電池１Ｂが、発電を開始したことを検知する（ステップＳ１０４）。住宅５０Ｃ（第３の住宅）の太陽光発電装置４０Ｃ（第３の太陽光発電装置）の電池制御部２０Ｃ（第３の電池制御部）が、太陽電池１Ｃが、発電を開始したことを検知する（ステップＳ１０６）。住宅（第４の住宅）の太陽光発電装置（第４の太陽光発電装置）の電池制御部２０Ｄ（第４の電池制御部）が、太陽電池が、発電を開始したことを検知する（ステップＳ１０８）。
【００７８】
電池制御部２０Ａは、開閉器６ＡをＯＮすることによって余剰電力を蓄電装置３Ａに蓄え始める（ステップＳ１１０）。電池制御部２０Ｂは、開閉器６ＢをＯＮすることによって余剰電力を蓄電装置３Ｂに蓄え始める（ステップＳ１１２）。電池制御部２０Ｃは、開閉器６ＣをＯＮすることによって余剰電力を蓄電装置３Ｃに蓄え始める（ステップＳ１１４）。電池制御部２０Ｄは、開閉器をＯＮすることによって余剰電力を蓄電装置に蓄え始める（ステップＳ１１６）。
【００７９】
電池制御部２０Ａは、検知手段としてのパワーコンディショナ２Ａを参照して、太陽電池１Ａの発電量（出力値）が所定値を超えたか否かを判断する（ステップＳ１１８）。ただし、電池制御部２０Ａは、通信インターフェイス３０Ａを介して第１〜第４の太陽光発電装置の発電量を取得することによって、第１〜第４の太陽光発電装置の発電量の合計が所定値を超えたか否かを判断してもよい。
【００８０】
電池制御部２０Ａは、発電量が所定値を超えた時刻に基づいて、各太陽光発電装置における蓄電が制限される所定期間を計算する（ステップＳ１２０）。本実施の形態に係る電池制御部２０Ａは、当該時刻から所定時刻までの所定期間を、柱上トランス６５に接続される太陽光発電装置の個数に基づいて分割することによって、各太陽光発電装置における蓄電制限時間（所定期間）を計算する。
【００８１】
ここで、電池制御部２０Ａにおける蓄電制限処理について説明する。図８は、本変形例に係る電池制御部２０Ａにおける蓄電制限処理の処理手順を示すフローチャートである。ここでは、たとえば、柱上トランス６５に４つの太陽光発電装置が接続されている場合について説明する。
【００８２】
図７および図８を参照して、電池制御部２０Ａは、７時に太陽電池１Ａが発電を開始したと判断する（ステップＳ１０２）。電池制御部２０Ａは、開閉器６ＡをＯＮして、太陽電池１Ａからの電力を蓄電装置３Ａに蓄え始める（ステップＳ１０４）。電池制御部２０Ａは、太陽電池１Ａの発電量が所定値を超えたか否かを判断する（ステップＳ１１８）。太陽電池１Ａの発電量が所定値を超えない場合（ステップＳ１１８においてＮＯである場合）、電池制御部２０Ａは、ステップＳ１１８からの処理を繰り返す。
【００８３】
電池制御部２０Ａが、発電量が所定値を超えたと判断した場合（ステップＳ１１８においてＹＥＳである場合）、日没予定時刻までの残り時間を計算する（ステップＳ１２０２）。ここでは、１１時に発電量が所定値を超えるものとし、日没予定時刻を１７時とする。
【００８４】
電池制御部２０Ａは、以下の式に基づいて、各太陽光発電装置における蓄電制限時間を計算する（ステップＳ１２０４）。
（１７時−１１時）／４台＝１．５時間
電池制御部２０Ａは、通信インターフェイス３０Ａを用いて、電池制御部２０Ｂ，２０Ｃ，２０Ｄに蓄電を制限するための所定期間を送信する（ステップＳ１２２）。
【００８５】
ここでは、電池制御部２０Ａは、通信インターフェイス３０Ａを用いることによって、電池制御部２０Ｂに１１時から１．５時間の間蓄電を制限させる。電池制御部２０Ａは、通信インターフェイス３０Ａを用いることによって、電池制御部２０Ｃに１２時３０分から１．５時間の間蓄電を制限させる。電池制御部２０Ａは、通信インターフェイス３０Ａを用いることによって、電池制御部２０Ｄに１４時から１．５時間の間蓄電を制限させる。電池制御部２０Ａは、１５時３０分から１．５時間の間、自身の蓄電を行わない。
【００８６】
図７に戻って、以上のようにして、電池制御部２０Ａは、通信インターフェイス３０Ａを介して、電池制御部２０Ｂ，２０Ｃ，２０Ｄに蓄電を制限するための信号（制限信号）を送信する（ステップＳ１２２）。
【００８７】
電池制御部２０Ｂは、通信インターフェイス３０Ｂを介して、電池制御部２０Ａから制限信号を受信する（ステップＳ１２４）。電池制御部２０Ｃは、通信インターフェイス３０Ｃを介して、電池制御部２０Ａから制限信号を受信する（ステップＳ１２６）。電池制御部２０Ｄは、通信インターフェイスを介して、電池制御部２０Ａから制限信号を受信する（ステップＳ１２８）。
【００８８】
電池制御部２０Ｂは、受信した制限信号に基づき、開閉器６ＢをＯＦＦすることによって、所定期間（計算時間：１．５時間）、蓄電を停止するとともに、売電を優先する（ステップＳ１３０）。このとき、電池制御部２０Ｃは、制限信号に基づき、開閉器６ＣをＯＮしたまま、所定期間、蓄電を優先する。電池制御部２０Ｄは、制御信号に基づき、計算時間の２倍、開閉器をＯＮしたまま、蓄電を優先する。
【００８９】
ステップＳ１３０から計算時間が経過すると、あるいは所定期間が終了すると、電池制御部２０Ｂは、開閉器６ＢをＯＮすることによって、蓄電を開始する（ステップＳ１３６）。このとき、電池制御部２０Ｃは、開閉器６ＣをＯＦＦすることによって、所定期間、蓄電を停止するとともに、売電を優先する（ステップＳ１３８）。
【００９０】
ステップＳ１３８からさらに計算時間が経過すると、電池制御部２０Ｃは、開閉器６ＣをＯＮすることによって、蓄電を開始する（ステップＳ１４０）。このとき、電池制御部２０Ｄは、開閉器をＯＦＦすることによって、所定期間、蓄電を停止するとともに、売電を優先する（ステップＳ１４２）。
【００９１】
ステップＳ１４２から計算時間が経過すると、電池制御部２０Ａは、開閉器６ＡをＯＦＦすることによって、所定期間、蓄電を停止するとともに、売電を優先する（ステップＳ１４４）。このとき、電池制御部２０Ｄは、開閉器をＯＮすることによって、蓄電を開始する（ステップＳ１４６）。
【００９２】
ステップＳ１４４からさらに計算時間が経過すると、電池制御部２０Ａは、開閉器６ＡをＯＮすることによって、蓄電を開始する（ステップＳ１４８）。
【００９３】
このようにして、本変形例に係る電力運用システム１００においては、発電量が所定値を超えたときのみ、各太陽光発電装置４０Ａ，４０Ｂ，４０Ｃにおける蓄電を制限する。曇っている日や雨の日などは、各太陽光発電装置４０Ａ，４０Ｂ，４０Ｃは、売電を行わなくても蓄電装置３Ａ，３Ｂ，３Ｃがいっぱいにならない可能性が高い。つまり、本実施の形態に係る電力運用システム１００は、たとえば日射が弱い日などのように、蓄電を制限する必要がない日には蓄電を制限せずに、日射が強い日などのように、蓄電装置３Ａ，３Ｂ，３Ｃがいっぱいになりそうな日に各太陽光発電装置４０Ａ，４０Ｂ，４０Ｃにおける蓄電を異なった所定期間制限する。
【００９４】
図９は、本変形例に係る電力運用システム１００における柱上トランス６５を介する売電量の変化を示すグラフである。なお、図９においては、実施の形態１に係る電力運用システム１００における柱上トランス６５を介する売電量の変化を点線で示す。
【００９５】
図９を参照して、本変形例においては、発電量が所定値を超えた時刻から所定の時刻までの間で各住宅５０Ａ，５０Ｂ，５０Ｃ毎に売電する期間が異なるため、図２〜図４よりも売電量のピークが低くなる。すなわち、本変形例に係る電力運用システム１００は、夜間の柱上トランス６５における売電量と１３時頃の柱上トランス６５における売電量との差を低減させることができる。
【００９６】
＜電力運用システム１００の第２の変形例における動作概要＞
次に、本実施の形態に係る電力運用システム１００の第２の変形例について説明する。図１０は、本実施の形態に係る電力運用システム１００の第２の変形例における各電池制御部２０Ａ，２０Ｂ，２０Ｃ，２０Ｄによる制御を示すシーケンス図である。本変形例においては、電池制御部２０Ａ，２０Ｂ，２０Ｃ，２０Ｄが、予め各々に設定された所定期間においては蓄電を制限するとともに売電を優先し、それ以外の時間帯においては蓄電を優先するものである。
【００９７】
本変形例においては、第１の太陽光発電装置４０Ａの電池制御部２０Ａと第２の太陽光発電装置４０Ｂの電池制御部２０Ｂとが、午前に蓄電を優先し、午後に蓄電を制限するとともに売電を優先する。一方、第３の太陽光発電装置４０Ｃの電池制御部２０Ｃと第４の太陽光発電装置の電池制御部２０Ｄとが、午前に蓄電を制限するとともに売電を優先し、午後に蓄電を優先する。
【００９８】
図１０を参照して、住宅５０Ａ（第１の住宅）の太陽光発電装置４０Ａ（第１の太陽光発電装置）の電池制御部２０Ａ（第１の電池制御部）が、太陽電池１Ａが発電を開始したことを検知する（ステップＳ２０２）。住宅５０Ｂ（第２の住宅）の太陽光発電装置４０Ｂ（第２の太陽光発電装置）の電池制御部２０Ｂ（第２の電池制御部）が、太陽電池１Ｂが発電を開始したことを検知する（ステップＳ２０４）。住宅５０Ｃ（第３の住宅）の太陽光発電装置４０Ｃ（第３の太陽光発電装置）の電池制御部２０Ｃ（第３の電池制御部）が、太陽電池１Ｃが発電を開始したことを検知する（ステップＳ２０６）。住宅（第４の住宅）の太陽光発電装置（第４の太陽光発電装置）の電池制御部２０Ｄ（第４の電池制御部）が、太陽電池が発電を開始したことを検知する（ステップＳ２０８）。
【００９９】
電池制御部２０Ａは、開閉器６ＡをＯＮすることによって余剰電力を蓄電装置３Ａに蓄え始める（ステップＳ２１０）。電池制御部２０Ｂは、開閉器６ＢをＯＮすることによって余剰電力を蓄電装置３Ｂに蓄え始める（ステップＳ２１２）。電池制御部２０Ｃは、開閉器６ＣをＯＦＦすることによって蓄電を停止するとともに、売電を優先する（ステップＳ２１４）。電池制御部２０Ｄは、開閉器をＯＦＦすることによって蓄電を停止するとともに、売電を優先する（ステップＳ２１６）。
【０１００】
すなわち、午前中は、電池制御部２０Ａと電池制御部２０Ｂは、余剰電力を蓄電装置３Ａ，３Ｂに蓄えることによって蓄電を売電よりも優先する。一方、電池制御部２０Ｃと電池制御部２０Ｄは、余剰電力を柱上トランス６５に供給することによって売電を蓄電よりも優先する。
【０１０１】
正午になると、電池制御部２０Ａは、開閉器６ＡをＯＦＦすることによって蓄電を停止するとともに、売電を優先する（ステップＳ２１８）。電池制御部２０Ｂは、開閉器６ＢをＯＦＦすることによって蓄電を停止するとともに、売電を優先する（ステップＳ２２０）。電池制御部２０Ｃは、開閉器６ＣをＯＮすることによって余剰電力を蓄電装置３Ｃに蓄え始める（ステップＳ２２２）。電池制御部２０Ｄは、開閉器をＯＮすることによって余剰電力を蓄電装置に蓄え始める（ステップＳ２２４）。
【０１０２】
すなわち、午後中は、電池制御部２０Ａと電池制御部２０Ｂは、余剰電力を柱上トランス６５に供給することによって売電を蓄電よりも優先する。一方、電池制御部２０Ｃと電池制御部２０Ｄは、余剰電力を蓄電装置に蓄えることによって蓄電を売電よりも優先する。
【０１０３】
図１１は、本変形例に係る電力運用システム１００における柱上トランス６５を介する売電量の変化を示すグラフである。なお、図１１においては、第１の変形例に係る電力運用システム１００における柱上トランス６５を介する売電量の変化を点線で示す。
【０１０４】
図１１を参照して、本変形例においては、各太陽光発電装置において午前および午後のいずれかにおける蓄電が制限されるため、図４および図９よりもさらに売電量のピークが低くなる。これは、蓄電が制限される時間が図４および図９の場合よりも長いことにも起因する。すなわち、本変形例に係る電力運用システム１００は、夜間の柱上トランス６５における売電量と１３時頃の柱上トランス６５における売電量との差を低減させることができる。
【０１０５】
＜電力運用システム１００の第３の変形例における動作概要＞
次に、本実施の形態に係る電力運用システム１００の第３の変形例について説明する。図１２は、本実施の形態に係る電力運用システム１００の第３の変形例における各電池制御部２０Ａ，２０Ｂ，２０Ｃ，２０Ｄによる制御を示すシーケンス図である。本変形例においても、電池制御部２０Ａ，２０Ｂ，２０Ｃ，２０Ｄが、予め各々に設定された所定期間においては蓄電を制限するとともに売電を優先し、それ以外の時間帯においては蓄電を優先するものである。
【０１０６】
本変形例においては、第１の太陽光発電装置は、９時３０分から２時間の間、蓄電が制限される。すなわち、電池制御部２０Ａは、９時３０分から１１時３０分まで、蓄電装置よりも売電を優先する。電池制御部２０Ａは、それ以外の時間帯においては、売電よりも蓄電を優先する。
【０１０７】
第２の太陽光発電装置は、１０時３０分から２時間の間、蓄電が制限される。すなわち、電池制御部２０Ｂは、１０時３０分から１２時３０分まで、蓄電装置よりも売電を優先する。電池制御部２０Ｂは、それ以外の時間帯においては、売電よりも蓄電を優先する。
【０１０８】
第３の太陽光発電装置が、１１時３０分から２時間の間、蓄電が制限される。すなわち、電池制御部２０Ｃは、１１時３０分から１３時３０分まで、蓄電装置よりも売電を優先する。電池制御部２０Ｃは、それ以外の時間帯においては、売電よりも蓄電を優先する。
【０１０９】
第４の太陽光発電装置が、１２時３０分から２時間の間、蓄電が制限される。すなわち、電池制御部２０Ｄは、１２時３０分から１４時３０分まで、蓄電装置よりも売電を優先する。電池制御部２０Ｄは、それ以外の時間帯においては、売電よりも蓄電を優先する。
【０１１０】
図１２を参照して、住宅５０Ａ（第１の住宅）の太陽光発電装置４０Ａ（第１の太陽光発電装置）の電池制御部２０Ａ（第１の電池制御部）が、太陽電池１Ａが、発電を開始したことを検知する（ステップＳ３０２）。住宅５０Ｂ（第２の住宅）の太陽光発電装置４０Ｂ（第２の太陽光発電装置）の電池制御部２０Ｂ（第２の電池制御部）が、太陽電池１Ｂが、発電を開始したことを検知する（ステップＳ３０４）。住宅５０Ｃ（第３の住宅）の太陽光発電装置４０Ｃ（第３の太陽光発電装置）の電池制御部２０Ｃ（第３の電池制御部）が、太陽電池１Ｃが、発電を開始したことを検知する（ステップＳ３０６）。住宅（第４の住宅）の太陽光発電装置（第４の太陽光発電装置）の電池制御部２０Ｄ（第４の電池制御部）が、太陽電池が、発電を開始したことを検知する（ステップＳ３０８）。
【０１１１】
電池制御部２０Ａは、開閉器６ＡをＯＮすることによって余剰電力を蓄電装置３Ａに蓄え始める（ステップＳ３１０）。電池制御部２０Ｂは、開閉器６ＢをＯＮすることによって余剰電力を蓄電装置３Ｂに蓄え始める（ステップＳ３１２）。電池制御部２０Ｃは、開閉器６ＣをＯＮすることによって余剰電力を蓄電装置３Ｃに蓄え始める（ステップＳ３１４）。電池制御部２０Ｄは、開閉器をＯＮすることによって余剰電力を蓄電装置に蓄え始める（ステップＳ３１６）。
【０１１２】
所定時刻である９時３０分になると、電池制御部２０Ａは、開閉器６ＡをＯＦＦすることによって蓄電を停止するとともに、売電を優先する（ステップＳ３１８）。
【０１１３】
所定時刻である１０時３０分になると、電池制御部２０Ｂは、開閉器６ＢをＯＦＦすることによって蓄電を停止するとともに、売電を優先する（ステップＳ３２０）。
【０１１４】
所定時刻である１１時３０分になると、電池制御部２０Ａは、開閉器６ＡをＯＮすることによって余剰電力を蓄電装置３Ａに蓄え始める（ステップＳ３２２）。同時に、電池制御部２０Ｃは、開閉器６ＣをＯＦＦすることによって蓄電を停止するとともに、売電を優先する（ステップＳ３２４）。
【０１１５】
所定時刻である１２時３０分になると、電池制御部２０Ｂは、開閉器６ＢをＯＮすることによって余剰電力を蓄電装置３Ｂに蓄え始める（ステップＳ３２６）。同時に、電池制御部２０Ｄは、開閉器をＯＦＦすることによって蓄電を停止するとともに、売電を優先する（ステップＳ３２８）。
【０１１６】
所定時刻である１３時３０分になると、電池制御部２０Ｃは、開閉器６ＣをＯＮすることによって余剰電力を蓄電装置３Ｃに蓄え始める（ステップＳ３３０）。
【０１１７】
所定時刻である１４時３０分になると、電池制御部２０Ｄは、開閉器をＯＮすることによって余剰電力を蓄電装置に蓄え始める（ステップＳ３３２）。
【０１１８】
［実施の形態２］
次に、本発明の実施の形態２について説明する。上述の実施の形態１に係る電力運用システム１００においては、電池制御部のそれぞれが、通信インターフェイスを介して、互いにデータを送受信するものであった。すなわち、第１の電池制御部が、第２〜第４の電池制御部を制御することによって、第１〜第４の太陽光発電装置における蓄電を制限する。
【０１１９】
一方、本実施の形態に係る電力運用システム１００Ｂは、太陽光発電装置とは別に、中央制御部を含む。そして、中央制御部が、通信インターフェイスを介して太陽光発電装置の電池制御部にデータを送信する。すなわち、中央制御部が、各電池制御部を制御することによって、第１〜第４の太陽光発電装置における蓄電を制限する。
【０１２０】
なお、本実施の形態に係る電力運用システム１００Ｂに係る概略構成は、実施の形態１に係る電力運用システム１００のそれと同様であるため、ここでは説明を繰り返さない。
【０１２１】
＜電力運用システム１００Ｂのハードウェア構成＞
次に、本実施の形態に係る電力運用システム１００Ｂの具体的構成について説明する。図１３は、本実施の形態に係る電力運用システム１００Ｂのハードウェア構成を表すブロック図である。なお、図１３は、電気エネルギー（電力）の流れを実線の矢印で示し、数値や命令などの情報（信号）の流れを点線の矢印で示す。
【０１２２】
図１３を参照して、本実施の形態に係る電力運用システム１００Ｂは、実施の形態１の電力運用システム１００と比較して、中央コントローラ６３を含む点において異なる。中央コントローラ６３は、中央制御部６０と通信インターフェイス６１とタイマ６２とを含む。電力運用システム１００Ｂのその他の構成については、実施の形態１に係る電力運用システム１００のそれらと同様であるため、ここでは説明を繰り返さない。ただし、本実施の形態に係る電力運用システム１００Ｂにおいては、電池制御部２０Ａ〜２０Ｄ同士が直接の通信できなくてもよい。
【０１２３】
中央制御部６０は、たとえばＣＰＵと、当該ＣＰＵが実行する制御プログラムなどによって実現される。より詳細には、ＣＰＵが、図示しないメモリに記憶されている制御プログラムを読み出して、当該制御プログラムを実行することによって、中央制御部６０を実現する。
【０１２４】
中央制御部６０は、通信インターフェイス６１を介して、各太陽光発電装置４０Ａ，４０Ｂ，４０Ｃの電池制御部２０Ａ，２０Ｂ，２０Ｃから、各太陽光発電装置４０Ａ，４０Ｂ，４０Ｃの蓄電装置３Ａ，３Ｂ，３Ｃの蓄電量と、分電盤７Ａ，７Ｂ，７Ｃおよび電力量計８Ａ，８Ｂ，８Ｃにおける電力量を取得する。中央制御部６０は、タイマ６２を参照することによって、通信インターフェイス６１を介して、各太陽光発電装置４０Ａ，４０Ｂ，４０Ｃの電池制御部２０Ａ，２０Ｂ，２０Ｃに、開閉器６Ａ，６Ｂ，６Ｃを開閉させる。すなわち、中央制御部６０は、通信インターフェイス６１を介して、各電池制御部２０Ａ，２０Ｂ，２０Ｃによる蓄電を制限する。
【０１２５】
本実施の形態に係る電池制御部２０Ａ，２０Ｂ，２０Ｃの各々は、タイマ２１Ａ，２１Ｂ，２１Ｃを参照して、中央制御部６０からの制限信号に用いて、所定期間における蓄電を制限する。たとえば、本実施の形態に係る電池制御部２０Ａ，２０Ｂ，２０Ｃは、中央制御部６０からの制御信号に基づいて、所定期間に、開閉器６Ａ，６Ｂ，６ＣをＯＦＦする。
【０１２６】
本実施の形態においては、パワーコンディショナ２Ａ，２Ｂ，２Ｃが、検出部として太陽電池１Ａ，１Ｂ，１Ｃによって生成される電力の出力値を検出し、当該出力値を電池制御部２０Ａ，２０Ｂ，２０Ｃに送信している。ただし、太陽電池１Ａ，１Ｂ，１Ｃや電池制御部２０Ａ，２０Ｂ，２０Ｃ（検出部をその機能の１つとして含む場合）やその他の装置が、検出部として太陽電池１Ａ，１Ｂ，１Ｃによって生成される電力の出力値を検出することによって、電池制御部２０Ａ，２０Ｂ，２０Ｃが出力値を取得してもよい。本実施の形態においては、電池制御部２０Ａ，２０Ｂ，２０Ｃは、通信インターフェイス３０Ａ，３０Ｂ，３０Ｃを介して、当該出力値を中央制御部６０に送信する。中央制御部６０は、当該出力値に基づいて、太陽電池１Ａ，１Ｂ、１Ｃの各々が発電しているか否かを判断する。
【０１２７】
あるいは、検出部として機能するパワーコンディショナ２Ａ，２Ｂ，２Ｃや太陽電池１Ａ，１Ｂ，１Ｃやその他の装置が、電力の出力値に基づいて、太陽電池１Ａ，１Ｂ，１Ｃが発電しているか否かを判断してもよい。また、電池制御部２０Ａ，２０Ｂ，２０Ｃが出力値に基づいて太陽電池１Ａ，１Ｂ，１Ｃが発電しているか否かを判断しても良い。この場合には、電池制御部２０Ａ，２０Ｂ，２０Ｃは、太陽電池１Ａ，１Ｂ，１Ｃが発電しているか否か示す情報（あるいは太陽電池１Ａ，１Ｂ，１Ｃが発電していることを示す情報）を、通信インターフェイス３０Ａ，３０Ｂ，３０Ｃを介して定期的に中央制御部６０に送信する。
【０１２８】
なお、パワーコンディショナ２Ａ，２Ｂ，２Ｃや太陽電池１Ａ，１Ｂ，１Ｃや電池制御部２０Ａ，２０Ｂ，２０Ｃやその他の装置は、太陽電池１Ａ，１Ｂ，１Ｃの両端における、出力電圧（Ｖ）、出力電流（Ａ）、出力電力（Ｗ）の少なくともいずれかを太陽電池１Ａ，１Ｂ，１Ｃの出力値として取得することができる。たとえば、パワーコンディショナ２Ａ，２Ｂ，２Ｃや電池制御部２０Ａ，２０Ｂ，２０Ｃやその他の装置は、太陽電池１Ａ，１Ｂ，１Ｃの両端における出力電力（Ｗ）から、太陽光発電装置４０Ａ，４０Ｂ，４０Ｃの自己消費電力（Ｗ）を減じた値を、太陽電池１Ａ，１Ｂ，１Ｃの出力値として取得してもよい。
【０１２９】
＜電力運用システム１００Ｂにおける動作概要＞
次に、本実施の形態に係る電力運用システム１００Ｂにおける動作概要について説明する。図１４は、本実施の形態に係る電力運用システム１００Ｂにおける各電池制御部２０Ａ，２０Ｂ，２０Ｃ，２０Ｄによる制御を示すシーケンス図である。
【０１３０】
図１４を参照して、住宅５０Ａ（第１の住宅）の太陽光発電装置４０Ａ（第１の太陽光発電装置）の電池制御部２０Ａ（第１の電池制御部）が、太陽電池１Ａが発電を開始したことを検知する（ステップＳ５０２）。住宅５０Ｂ（第２の住宅）の太陽光発電装置４０Ｂ（第２の太陽光発電装置）の電池制御部２０Ｂ（第２の電池制御部）が、太陽電池１Ｂが発電を開始したことを検知する（ステップＳ５０４）。住宅５０Ｃ（第３の住宅）の太陽光発電装置４０Ｃ（第３の太陽光発電装置）の電池制御部２０Ｃ（第３の電池制御部）が、太陽電池１Ｃが発電を開始したことを検知する（ステップＳ５０６）。住宅（第４の住宅）の太陽光発電装置（第４の太陽光発電装置）の電池制御部２０Ｄ（第４の電池制御部）が、太陽電池が発電を開始したことを検知する（ステップＳ５０８）。
【０１３１】
電池制御部２０Ａは、開閉器６ＡをＯＮすることによって余剰電力を蓄電装置３Ａに蓄え始める（ステップＳ５１０）。電池制御部２０Ｂは、開閉器６ＢをＯＮすることによって余剰電力を蓄電装置３Ｂに蓄え始める（ステップＳ５１２）。電池制御部２０Ｃは、開閉器６ＣをＯＮすることによって余剰電力を蓄電装置３Ｃに蓄え始める（ステップＳ５１４）。電池制御部２０Ｄは、開閉器をＯＮすることによって余剰電力を蓄電装置に蓄え始める（ステップＳ５１６）。
【０１３２】
中央制御部６０は、通信インターフェイス６１を介して、各太陽光発電装置から発電量を取得する（ステップＳ５１８）。より詳細には、電池制御部２０Ａは、通信インターフェイス３０Ａを介して、太陽電池１Ａの発電量を中央制御部６０に送信する（ステップＳ５２０）。電池制御部２０Ｂは、通信インターフェイス３０Ｂを介して、太陽電池１Ｂの発電量を中央制御部６０に送信する（ステップＳ５２２）。電池制御部２０Ｃは、通信インターフェイス３０Ｃを介して、太陽電池１Ｃの発電量を中央制御部６０に送信する（ステップＳ５２４）。電池制御部２０Ｄは、通信インターフェイスを介して、太陽電池の発電量を中央制御部６０に送信する（ステップＳ５２６）。
【０１３３】
中央制御部６０は、通信インターフェイス６１を用いて、第１〜第４の太陽光発電装置の発電量を取得することによって、第１〜第４の太陽光発電装置の発電量の合計が所定値を超えたか否かを判断する（ステップＳ５２８）。ただし、中央制御部６０は、通信インターフェイス３０Ａを用いて、太陽電池１Ａ（あるいはいずれかの太陽電池）の発電量が所定値を超えたか否かを判断してもよい。
【０１３４】
中央制御部６０は、発電量が所定値を超えた時刻に基づいて、タイマ６２を参照することによって各太陽光発電装置における蓄電が制限される所定期間を計算する（ステップＳ５３０）。本実施の形態に係る中央制御部６０は、当該時刻から所定時刻までの所定期間を、柱上トランス６５に接続される太陽光発電装置の個数に基づいて分割することによって、各太陽光発電装置における蓄電制限時間を計算する。
【０１３５】
ここで、中央制御部６０における蓄電制限処理について説明する。図１５は、本実施の形態に係る中央制御部６０における蓄電制限処理の処理手順を示すフローチャートである。ここでは、たとえば、柱上トランス６５に４つの太陽光発電装置が接続されている場合について説明する。
【０１３６】
図１４および図１５を参照して、中央制御部６０は、７時に、通信インターフェイス６１を介して電池制御部２０Ａ，２０Ｂ，２０Ｃ，２０Ｄのそれぞれから、それぞれの太陽光発電装置の太陽電池による発電量を受信する（ステップＳ５１８）。中央制御部６０は、それぞれの太陽光発電装置の太陽電池による発電量の合計が所定値を超えたか否かを判断する（ステップＳ５２８）。発電量の合計が所定値を超えない場合（ステップＳ５２８においてＮＯである場合）、中央制御部６０は、ステップＳ５１８からの処理を繰り返す。
【０１３７】
中央制御部６０が、発電量の合計が所定値を超えたと判断した場合（ステップＳ５２８においてＹＥＳである場合）、タイマ６２を参照することによって日没予定時刻までの残り時間を計算する（ステップＳ５３０２）。ここでは、１１時に発電量が所定値を超えるものとし、日没予定時刻を１７時とする。
【０１３８】
中央制御部６０は、以下の式に基づいて、各太陽光発電装置における蓄電制限時間を計算する（ステップＳ５３０４）。
（１７時−１１時）／４台＝１．５時間
中央制御部６０は、通信インターフェイス６１を用いて、電池制御部２０Ａ，２０Ｂ，２０Ｃ，２０Ｄに蓄電を制限するための所定期間を送信する（ステップＳ５３２）。
【０１３９】
ここでは、中央制御部６０は、通信インターフェイス６１を用いることによって、電池制御部２０Ａに１１時から１．５時間の間蓄電を制限させる。中央制御部６０は、通信インターフェイス６１を用いることによって、電池制御部２０Ｂに１２時３０分から１．５時間の間蓄電を制限させる。中央制御部６０は、通信インターフェイス６１を用いることによって、電池制御部２０Ｃに１３時から１．５時間の間蓄電を制限させる。中央制御部６０は、通信インターフェイス６１を用いることによって、電池制御部２０Ｄに１４時３０分から１．５時間の間蓄電を制限させる。
【０１４０】
図１４に戻って、以上のようにして、中央制御部６０は、通信インターフェイス６１を介して、電池制御部２０Ａ，２０Ｂ，２０Ｃ，２０Ｄに蓄電を制限するための信号（制限信号）を送信する（ステップＳ５３２）。
【０１４１】
電池制御部２０Ａは、通信インターフェイス３０Ａを介して、中央制御部６０から制限信号を受信する（ステップＳ５３４）。電池制御部２０Ｂは、通信インターフェイス３０Ｂを介して、中央制御部６０から制限信号を受信する（ステップＳ５３６）。電池制御部２０Ｃは、通信インターフェイス３０Ｃを介して、中央制御部６０から制限信号を受信する（ステップＳ５３８）。電池制御部２０Ｄは、通信インターフェイスを介して、中央制御部６０から制限信号を受信する（ステップＳ５４０）。
【０１４２】
電池制御部２０Ａは、受信した制限信号に基づき、開閉器６ＡをＯＦＦすることによって、所定期間（計算時間：１．５時間）、蓄電を停止するとともに、売電を優先する（ステップＳ５４２）。このとき、電池制御部２０Ｂは、制限信号に基づき、開閉器６ＢをＯＮしたまま、所定期間、蓄電を優先する。電池制御部２０Ｃは、制御信号に基づき、計算時間の２倍、開閉器６ＣをＯＮしたまま、蓄電を優先する。電池制御部２０Ｄは、制御信号に基づき、計算時間の３倍、開閉器をＯＮしたまま、蓄電を優先する。
【０１４３】
ステップＳ５４２から計算時間が経過すると、あるいは所定期間が終了すると、電池制御部２０Ａは、開閉器６ＡをＯＮすることによって、蓄電を開始する（ステップＳ５４４）。このとき、電池制御部２０Ｂは、開閉器６ＢをＯＦＦすることによって、所定期間、蓄電を停止するとともに、売電を優先する（ステップＳ５４６）。
【０１４４】
ステップＳ５４６からさらに計算時間が経過すると、電池制御部２０Ｂは、開閉器６ＢをＯＮすることによって、蓄電を開始する（ステップＳ５４８）。このとき、電池制御部２０Ｃは、開閉器６ＣをＯＦＦすることによって、所定期間、蓄電を停止するとともに、売電を優先する（ステップＳ５５０）。
【０１４５】
ステップＳ５５０からさらに計算時間が経過すると、電池制御部２０Ｃは、開閉器６ＣをＯＮすることによって、蓄電を開始する（ステップＳ５５２）。このとき、電池制御部２０Ｄは、開閉器をＯＦＦすることによって、所定期間、蓄電を停止するとともに、売電を優先する（ステップＳ５５４）。
【０１４６】
ステップＳ５５４からさらに計算時間が経過すると、電池制御部２０Ｄは、開閉器をＯＮすることによって、蓄電を開始する（ステップＳ５５６）。
【０１４７】
このようにして、本実施の形態に係る電力運用システム１００Ｂにおいては、発電量が所定値を超えたときのみ、各太陽光発電装置４０Ａ，４０Ｂ，４０Ｃにおける蓄電を制限する。曇っている日や雨の日などは、各太陽光発電装置４０Ａ，４０Ｂ，４０Ｃは、売電を行わなくても蓄電装置３Ａ，３Ｂ，３Ｃがいっぱいにならない可能性が高い。つまり、本実施の形態に係る電力運用システム１００Ｂは、たとえば日射が弱い日などのように、蓄電を制限する必要がない日には蓄電を制限せずに、日射が強い日などのように、蓄電装置３Ａ，３Ｂ，３Ｃがいっぱいになりそうな日に各太陽光発電装置４０Ａ，４０Ｂ，４０Ｃにおける蓄電を異なった所定期間に制限する。
【０１４８】
実施の形態１および２に共通して、より詳細には、蓄電を制限するための条件や蓄電を再開させる条件によっては、日射量が少なくなる時間まで充電時間が延びてしまう虞がある。蓄電装置３Ａ，３Ｂ，３Ｃによる充電が不十分とならないように、電力運用システム１００（１００Ｂ）が配置される地域毎に、太陽電池１Ａ，１Ｂ，１Ｃの発電量が多いと予想される南中時刻の前後に充電することが好ましい。たとえば、その地域において太陽が南中する時刻（太陽が南中する位置から方位角で数度ずれた時刻であってもよい。）を中心として、前の１時間が第１の期間として設定され、後の１時間を第２の期間として設定される。そして、第１の期間に第１の電池制御部２０Ａと第２の電池制御部２０Ｂが蓄電を制限し、第２の期間に第３の電池制御部２０Ｃと第４の電池制御部２０Ｄが蓄電を制限する。中央制御部６０が、通信インターフェイス６１を介して、上記の制御を行ってもよい。
【０１４９】
あるいは、太陽が南中する時刻を中心として前後１時間を柱上トランス６５に接続される太陽光発電装置４０Ａ，４０Ｂ，４０Ｃの個数で分割してもよい。たとえば、１２時３０分に太陽が南中する地域において、柱上トランス６５に４つの太陽光発電装置が接続される場合、１１時３０分〜１２時が第１の期間として設定され、１２時〜１２時３０分が第２の期間として設定され、１２時３０分〜１３時が第３の期間として設定され、１３時〜１３時３０分が第４の期間として設定される。第１の期間に第１の電池制御部２０Ａが蓄電を制限し、第２の期間に第２の電池制御部２０Ｂが蓄電を制限し、第３の期間に第３の電池制御部２０Ｃが蓄電を制限し、第４の期間に第４の電池制御部２０Ｄが蓄電を制限する。中央制御部６０が、通信インターフェイス６１を介して、上記の制御を行ってもよい。
【０１５０】
具体的には、日本においては、日本の標準時の基準線（東経１３５度の子午線）の上に位置する明石市において、ちょうど１２時（正午）が太陽の南中時刻と一致するよう基準化されている。このとき太陽高度は最も高くなる。一方、沖縄県では、沖縄県と明石市の経度の違いの分に相当するズレが生じ、およそ１２時２０分が太陽の南中時刻となる。逆に、北海道の根室市ではおよそ１１時２０分が太陽の南中時刻となる。さらに季節や緯度によっても、地球の公転面と地軸の傾きの関係が複雑に絡むため、南中時刻が僅かに変動することが知られている。故に、実施の形態１および２に係る電力運用システム１００（１００Ａ）は、上記のように、蓄電を制限するための条件や蓄電を再開させる条件を加味することによって、南中時刻の変化に対応してより適切に蓄電を制限することができる。
【０１５１】
＜その他の実施の形態＞
本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１５２】
この場合、記憶媒体から読出されたプログラムコード自体が前述した実施の形態の機能を実現することになり、そのプログラムコードを記憶した記憶媒体は本発明を構成することになる。
【０１５３】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０１５４】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１５５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１５６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１５７】
１Ａ，１Ｂ，１Ｃ  太陽電池、２Ａ，２Ｂ，２Ｃ  パワーコンディショナ、３Ａ，３Ｂ，３Ｃ  蓄電装置、４Ａ，４Ｂ，４Ｃ  インバータ回路、６Ａ，６Ｂ，６Ｃ  開閉器、７Ａ，７Ｂ，７Ｃ  分電盤、８Ａ，８Ｂ，８Ｃ  電力量計、１０Ａ，１０Ｂ，１０Ｃ  電力負荷、２０Ａ，２０Ｂ，２０Ｃ，２０Ｄ  電池制御部、２１Ａ，２１Ｂ，２１Ｃ  タイマ、２５Ａ，２５Ｂ，２５Ｃ  電池コントローラ、３０Ａ，３０Ｂ，３０Ｃ  通信インターフェイス、５０Ａ，５０Ｂ，５０Ｃ  住宅、６０  中央制御部、６１  通信インターフェイス、６２  タイマ、６３  中央コントローラ、６５  柱上トランス、１００，１００Ｂ  電力運用システム。
【図１】
2010288393.tif 000003
【図２】
2010288393.tif 000004
【図３】
2010288393.tif 000005
【図４】
2010288393.tif 000006
【図５】
2010288393.tif 000007
【図６】
2010288393.tif 000008
【図７】
2010288393.tif 000009
【図８】
2010288393.tif 000010
【図９】
2010288393.tif 000011
【図１０】
2010288393.tif 000012
【図１１】
2010288393.tif 000013
【図１２】
2010288393.tif 000014
【図１３】
2010288393.tif 000015
【図１４】
2010288393.tif 000016
【図１５】
2010288393.tif 000017
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
同一の受電端を介して電力系統に接続される複数の太陽光発電装置を備える電力運用システムであって、
前記複数の太陽光発電装置の各々は、
太陽光を受けて電力を出力するための太陽電池と、
前記電力を蓄積するための蓄電池とを含み、
第１の期間における前記複数の太陽光発電装置のうちの第１の太陽光発電装置による電力の蓄積を制限し、前記第１の期間とは異なる第２の期間における前記複数の太陽光発電装置のうちの第２の太陽光発電装置による電力の蓄積を制限するための制限手段を備える、電力運用システム。
【請求項２】
前記複数の太陽光発電装置の各々は、
他の太陽光発電装置と通信するための通信インターフェイスと、
前記電力の蓄積と前記電力の前記電力系統への出力とを制御するための電池制御部とをさらに含み、
前記第１の太陽光発電装置の電池制御部は、前記制限手段を含む、請求項１に記載の電力運用システム。
【請求項３】
前記複数の太陽光発電装置の各々は、
前記電力の蓄積と前記電力の前記電力系統への出力とを制御するための電池制御部をさらに含み、
前記電力運用システムは、
前記電池制御部と通信するための通信インターフェイスと、
前記通信インターフェイスを介して前記電池制御部を制御するための中央制御部とをさらに備え、
前記中央制御部は、前記制限手段を含む、請求項１に記載の電力運用システム。
【請求項４】
前記複数の太陽光発電装置の各々は、
前記太陽電池からの電力の出力値を検出する検出部をさらに含み、
前記制限手段は、
前記検出部からの前記出力値に基づいて前記太陽電池が電力を出力したか否かを判断し、
前記太陽電池が電力を出力し始めた時刻に基づいて、前記第１および第２の期間を計算する、請求項２または３に記載の電力運用システム。
【請求項５】
前記複数の太陽光発電装置の各々は、
前記太陽電池からの電力の出力値を検出する検出部をさらに含み、
前記制限手段は、
前記検出部からの前記出力値に基づいて前記出力値が所定値に達したか否かを判断し、
前記出力値が前記所定値に達した時刻に基づいて、前記第１および第２の期間を計算する、請求項２または３に記載の電力運用システム。
【請求項６】
前記制限手段は、
前記時刻から所定の時刻までの第３の期間を計算し、
前記第３の期間と前記複数の太陽光発電装置の個数とに基づいて、各太陽光発電装置による電力の蓄積を制限すべき期間を計算する、請求項４または５に記載の電力運用システム。
【請求項７】
前記複数の太陽光発電装置の各々は、
前記制限手段の一部として、前記電力の蓄積と前記電力の前記電力系統への出力とを制御するための電池制御部をさらに含み、
前記複数の太陽光発電装置のうちの第１の太陽光発電装置の電池制御部は、第１の期間に前記第１の太陽光発電装置による電力の蓄積を制限し、
前記複数の太陽光発電装置のうちの第２の太陽光発電装置の電池制御部は、第２の期間に前記第２の太陽光発電装置による電力の蓄積を制限する、請求項１に記載の電力運用システム。
【請求項８】
前記第１の期間は、日出から所定の時刻までであって、
前記第２の期間は、前記所定の時刻から日没までである、請求項７に記載の電力運用システム。
【請求項９】
同一の受電端を介して電力系統に接続される複数の太陽光発電装置と、制御部とを用いた電力運用方法であって、
前記複数の太陽光発電装置の各々は、
太陽光を受けて電力を出力するための太陽電池と、
前記電力を蓄積するための蓄電池とを含み、
前記電力運用方法は、
前記制御部が、第１の期間における前記複数の太陽光発電装置のうちの第１の太陽光発電装置による電力の蓄積を制限するステップと、
前記制御部が、前記第１の期間と異なる第２の期間における前記複数の太陽光発電装置のうちの第２の太陽光発電装置による電力の蓄積を制限するステップとを備える、電力運用方法。
【請求項１０】
前記複数の太陽光発電装置の各々は、
他の太陽光発電装置と通信するための通信インターフェイスと、
前記電力の蓄積と前記電力の前記電力系統への出力とを制御するための電池制御部とをさらに含み、
前記第１の太陽光発電装置による電力の蓄積を制限するステップは、前記第１の太陽光発電装置の電池制御部が、前記制御部として、前記第１の期間に前記第１の太陽光発電装置による電力の蓄積を制限するステップを含み、
前記第２の太陽光発電装置による電力の蓄積を制限するステップは、前記第１の太陽光発電装置の電池制御部が、前記制御部として、前記通信インターフェイスを介して前記第２の期間における前記第２の太陽光発電装置による電力の蓄積を制限するステップを含む、請求項９に記載の電力運用方法。
【請求項１１】
前記複数の太陽光発電装置の各々は、
前記制御部と通信するための通信インターフェイスと、
前記電力の蓄積と前記電力の前記電力系統への出力とを制御するための電池制御部とをさらに含み、
前記第１の太陽光発電装置による電力の蓄積を制限するステップは、前記制御部が、前記第１の太陽光発電装置の電池制御部に第１の期間における前記第１の太陽光発電装置による電力の蓄積を制限させるステップを含み、
前記第２の太陽光発電装置による電力の蓄積を制限するステップは、前記制御部が、前記第２の太陽光発電装置の電池制御部に第２の期間における前記第２の太陽光発電装置による電力の蓄積を制限させるステップを含む、請求項９に記載の電力運用方法。
【請求項１２】
前記複数の太陽光発電装置の各々は、
前記太陽電池からの電力の出力値を検出する検出部をさらに含み、
前記電力運用方法は、
前記制御部が、前記検出部からの前記出力値に基づいて前記太陽電池が電力を出力したか否かを判断するステップと、
前記制御部が、前記太陽電池が電力を出力し始めた時刻に基づいて、前記第１および第２の期間を計算するステップとをさらに備える、請求項１０または１１に記載の電力運用方法。
【請求項１３】
前記複数の太陽光発電装置の各々は、
前記太陽電池からの電力の出力値を検出する検出部をさらに含み、
前記電力運用方法は、
前記制御部が、前記検出部からの前記出力値に基づいて前記出力値が所定値に達したか否かを判断するステップと、
前記制御部が、前記出力値が前記所定値に達した時刻に基づいて、前記第１および第２の期間を計算するステップとをさらに備える、請求項１０または１１に記載の電力運用方法。
【請求項１４】
前記第１および第２の期間を計算するステップは、
前記制御部が、前記時刻から所定の時刻までの第３の期間を計算するステップと、
前記制御部が、前記第３の期間と前記複数の太陽光発電装置の個数とに基づいて、各太陽光発電装置による電力の蓄積を制限すべき期間を計算するステップとを含む、請求項１２または１３に記載の電力運用方法。
【請求項１５】
前記複数の太陽光発電装置の各々は、
前記電力の蓄積と前記電力の前記電力系統への出力とを制御するための電池制御部をさらに含み、
前記第１の太陽光発電装置による電力の蓄積を制限するステップは、前記第１の太陽光発電装置の電池制御部が、前記制御部の一部として、前記第１の期間に前記第１の太陽光発電装置による電力の蓄積を制限するステップを含み、
前記第２の太陽光発電装置による電力の蓄積を制限するステップは、前記第２の太陽光発電装置の電池制御部が、前記制御部の一部として、前記第２の期間に前記第２の太陽光発電装置による電力の蓄積を制限するステップを含む、請求項９に記載の電力運用方法。
【請求項１６】
前記第１の期間は、日出から所定の時刻までであって、
前記第２の期間は、前記所定の時刻から日没までである、請求項１５に記載の電力運用方法。
【請求項１７】
受電端を介して電力系統に接続される太陽光発電装置であって、
太陽光を受けて電力を出力する太陽電池と、
前記電力を蓄積する蓄電池と、
前記受電端を介して前記電力系統に接続される他の太陽光発電装置と通信するための通信インターフェイスと、
前記電力の蓄積と前記電力の前記電力系統への出力とを制御する制御部とを含み、
前記制御部は、第１の期間に前記太陽光発電装置による電力の蓄積を制限し、前記通信インターフェイスを介して第２の期間における前記他の太陽光発電装置による電力の蓄積を制限する、太陽光発電装置。
【請求項１８】
前記太陽電池からの電力の出力値を検出する検出部をさらに備え、
前記制御部は、
前記検出部からの前記出力値に基づいて前記太陽電池が電力を出力したか否かを判断し、
前記太陽電池が電力を出力し始めた時刻に基づいて、前記第１および第２の期間を計算する、請求項１７に記載の太陽光発電装置。
【請求項１９】
前記太陽電池からの電力の出力値を検出する検出部をさらに備え、
前記制御部は、
前記検出部からの前記出力値に基づいて前記出力値が所定値に達したか否かを判断し、
前記出力値が前記所定値に達した時刻に基づいて、前記第１および第２の期間を計算する、請求項１７に記載の太陽光発電装置。
【請求項２０】
前記制御部は、
前記時刻から所定の時刻までの第３の期間を計算し、
前記第３の期間と前記受電端を介して前記電力系統に接続される太陽光発電装置の個数とに基づいて、各太陽光発電装置による電力の蓄積を制限すべき期間を計算する、請求項１８または１９に記載の太陽光発電装置。
【請求項２１】
太陽光を受けて電力を出力する太陽電池と前記電力を蓄積する蓄電池とを含むとともに受電端を介して電力系統に接続される太陽光発電装置を制御するためのコントローラであって、
前記受電端を介して前記電力系統に接続される他の太陽光発電装置と通信するための通信インターフェイスと、
前記電力の蓄積と前記電力の前記電力系統への出力とを制御する制御部とを備え、
前記制御部は、第１の期間に前記太陽光発電装置による電力の蓄積を制限し、前記通信インターフェイスを介して第２の期間における前記他の太陽光発電装置による電力の蓄積を制限する、コントローラ。
【請求項２２】
太陽光を受けて電力を出力する太陽電池と前記電力を蓄積する蓄電池とを含むとともに同一の受電端を介して電力系統に接続される第１および第２の太陽光発電装置と通信可能なコントローラであって、
前記第１および第２の太陽光発電装置と通信するための通信インターフェイスと、
制御部とを備え、
前記制御部は、前記通信インターフェイスを介して第１の期間に前記第１の太陽光発電装置による電力の蓄積を制限し、前記通信インターフェイスを介して第２の期間における前記第２の太陽光発電装置による電力の蓄積を制限する、コントローラ。
【請求項２３】
前記太陽光発電装置の各々は、前記太陽電池からの電力の出力値を検出する検出部をさらに含み、
前記制御部は、
前記検出部からの前記出力値に基づいて前記太陽電池が電力を出力したか否かを判断し、
前記太陽電池が電力を出力し始めた時刻に基づいて、前記第１および第２の期間を計算する、請求項２１または２２に記載のコントローラ。
【請求項２４】
前記太陽光発電装置の各々は、前記太陽電池からの電力の出力値を検出する検出部をさらに含み、
前記制御部は、
前記検出部からの前記出力値に基づいて前記出力値が所定値に達したか否かを判断し、
前記出力値が前記所定値に達した時刻に基づいて、前記第１および第２の期間を計算する、請求項２１または２２に記載のコントローラ。
【請求項２５】
前記制御部は、
前記時刻から所定の時刻までの第３の期間を計算し、
前記第３の期間と前記受電端を介して前記電力系統に接続される太陽光発電装置の個数とに基づいて、各太陽光発電装置による電力の蓄積を制限すべき期間を計算する、請求項２３または２４に記載のコントローラ。